(57)【特許請求の範囲】
【請求項１】
昇降路を昇降するかご、
上記昇降路の下部に立設された緩衝器と、
上記かごに設けられて上記かごの下降速度が所定値を超えたときに作動する速度検出器と、
上記かごの下面に設けられて上記緩衝器に対向して配置され、常時は収縮状態に保持されて動作して膨張する膨張式緩衝具と、
上記速度検出器に第１信号線を介して接続されるとともに、上記膨張式緩衝具に第２信号線を介して接続され、上記第１信号線を介して上記速度検出器の作動を検出した場合に、上記第２信号線を介して上記膨張式緩衝具を動作させる制御装置と
を備えたエレベーターの緩衝装置。
【発明の詳細な説明】
【０００１】
【発明の属する技術分野】
この発明は、異常下降するかごを昇降路の下部において少ない衝撃によって停止させるエレベーターの緩衝装置に関する。
【０００２】
【従来の技術】
図５は、従来のエレベーターの緩衝装置を示す図で、昇降路下部を概念的に示す縦断面図である。図において、１はエレベーターの昇降路、２は昇降路１の底面に設けられた緩衝器台、３は緩衝器台２の端部から立設された案内レール、４は両側が案内レール３に案内されて昇降路１を昇降するかご、５はばね緩衝器及び油入緩衝器のいずれかからなる緩衝器で、緩衝器台２に立設されてかご５下面と対向して配置されている。
【０００３】
従来のエレベーターの緩衝装置は上記のように構成され、エレベーターに異常が発生してかご４が昇降路の下部において所定の速度を超過した速度によって異常下降した場合に、かご４により緩衝器５が圧縮されることによって、衝撃を小さくして停止させるようになっている。
【０００４】
【発明が解決しようとする課題】
上記のような従来のエレベーターの緩衝装置では、異常下降するかご４が緩衝器５に衝突するときの初期における衝撃の緩衝性能が不十分である。このため、異常下降するかご４が緩衝器５に衝突したときには、緩衝器５の緩衝工程に対応した平均的な緩衝作用を上回る衝撃が、短時間ではあるもののかご４内の乗客に作用するという問題点があった。
【０００５】
この発明は、かかる問題点を解消するためになされたものであり、異常下降して緩衝器に衝突するかごに生じる初期衝撃が少ないエレベーターの緩衝装置を得ることを目的とする。
【０００６】
【課題を解決するための手段】
この発明に係るエレベーターの緩衝装置においては、昇降路を昇降するかごに対向して昇降路の下部に立設された緩衝器と、かごに設けられてかごの下降速度が所定値を超えたときに作動する速度検出器と、かごの下面に設けられて緩衝器に対向して配置され、常時は収縮状態に保持され動作して膨張する膨張式緩衝具と、速度検出器に第１信号線を介して接続されるとともに、膨張式緩衝具に第２信号線を介して接続され、第１信号線を介して速度検出器の作動を検出した場合に、第２信号線を介して膨張式緩衝具を動作させる制御装置とが設けられる。
【０００８】
【発明の実施の形態】
実施の形態１．
図１は、この発明の実施の形態の一例を示す図で、昇降路下部を概念的に示す縦断面図である。図において、１はエレベーターの昇降路、２は昇降路１の底面に設けられた緩衝器台、３は緩衝器台２の端部から立設された案内レール、４は両側が案内レール３に案内されて昇降路１を昇降するかご、５はばね緩衝器及び油入緩衝器のいずれかからなる緩衝器で、緩衝器台２に立設されてかご４下面と対向して配置されている。
【０００９】
６はかご４の下面に設けられて緩衝器５に対向して配置された膨張式緩衝具で、ガス発生装置７が設けられて常時は図１に鎖線で示す収縮状態に保持されて、動作時にはガス発生装置７のガスが圧入されて実線で示すように膨張する。８はかご４に設けられた速度検出器で、かご４が昇降路１の下部寄りを下降中であって、そのときの速度が所定値を超えたときに作動する。９は膨張式緩衝具６のガス発生装置７及び速度検出器８に接続された制御装置で、速度検出器８の作動を介してガス発生装置７を動作させる。
【００１０】
上記のように構成されたエレベーターの緩衝装置において、エレベーターに異常が発生してかご４が昇降路の下部において所定の速度を超過した速度によって異常下降した場合に、かご４が緩衝器５に衝突する前に速度検出器８が作動する。これによって、制御装置９の機能によってガス発生装置７が動作、すなわち膨張式緩衝具６が動作する。
【００１１】
したがって、かご４と緩衝器５との衝突時の初期衝撃が膨張式緩衝具６によって緩衝され、次いで緩衝器５がかご４によって圧縮されて小さい衝撃によって停止する。このため、異常下降するかご４が緩衝器５に衝突するときに、緩衝器５の緩衝工程に対応した平均的な緩衝作用を上回る衝撃がかご４内の乗客に作用する不具合の発生を未然に防ぐことができる。
【００１２】
なお、エレベーターの異常発生によってかご４が所定の速度を超過した速度によって異常下降した場合に、昇降路１の底面に設けられた膨張式緩衝具６がかご４によって圧縮されることのみによって、衝撃を小さくしてかご４を停止させる構成が考えられる。しかし、このような構成の場合には、膨張式緩衝具６の緩衝性能に限界があるため、かご４の重量、下降速度等の適用要件が制約される。したがって、様々な仕様のエレベーターに対して普遍的に実用することは困難であって実際的ではない。
【００１３】
実施の形態２．
図２は、この発明の他の実施の形態の一例を示す図で、昇降路下部を概念的に示す縦断面図である。図において、前述の図１と同符号は相当部分を示し、６は緩衝器５の上端に設けられてかご４の下面に対向して配置された膨張式緩衝具で、ガス発生装置７が設けられて常時は図２に示す鎖線で示す収縮状態に保持される。そして、動作時にはガス発生装置７のガスが圧入されて実線で示すように膨張する。
【００１４】
上記のように構成されたエレベーターの緩衝装置においても、エレベーターに異常が発生してかご４が昇降路の下部において所定の速度を超過した速度によって異常下降した場合に、かご４が緩衝器５に衝突する前に速度検出器８の作動によって、膨張式緩衝具６が動作してかご４と緩衝器５との衝突時の初期衝撃が膨張式緩衝具６によって緩衝される。したがって、詳細な説明を省略するが図２の実施の形態においても図１の実施の形態と同様な作用が得られる。
【００１５】
実施の形態３．
図３及び図４も、この発明の他の実施の形態の一例を示す図で、図３は昇降路下部を概念的に示す縦断面図、図４は図３のＡ−Ａ線断面図である。図において、前述の図１と同符号は相当部分を示し、６は昇降路１の底面１０に設けられた膨張式緩衝具で、ガス発生装置７が設けられて常時は図３に示す鎖線で示すような収縮状態に保持されて、動作時にはガス発生装置７のガスが圧入されて実線で示すように膨張する。
【００１６】
１１は可動緩衝器立設板で、かご４の下面に対面して配置されて案内レール３に対向した縁部が案内レール３の案内部に昇降可能に嵌合され、上面に緩衝器５が立設されて膨張式緩衝具６の上方に配置され、下面が膨張式緩衝具６に対向した状態に装備されている。そして、常時は膨張式緩衝具６が収縮状態に保持されているので下降位置に配置される。
【００１７】
上記のように構成されたエレベーターの緩衝装置においても、エレベーターに異常が発生してかご４が昇降路の下部において所定の速度を超過した速度によって異常下降した場合に、かご４が緩衝器５に衝突する前に速度検出器８の作動によって膨張式緩衝具６が動作して膨張する。
【００１８】
これにより、可動緩衝器立設板１１を介して緩衝器５が上昇位置に配置されて図３に示す状態となり、かご４と緩衝器５との衝突時の初期衝撃が膨張式緩衝具６によって緩衝される。したがって、詳細な説明を省略するが図３及び図４の実施の形態においても図１の実施の形態と同様な作用が得られる。
【００１９】
【発明の効果】
この発明は以上説明したように、昇降路を昇降するかごに対向して昇降路の下部に立設された緩衝器と、かごに設けられてかごの下降速度が所定値を超えたときに作動する速度検出器と、かごの下面に設けられて緩衝器に対向して配置され、常時は収縮状態に保持され動作して膨張する膨張式緩衝具と、速度検出器に第１信号線を介して接続されるとともに、膨張式緩衝具に第２信号線を介して接続され、第１信号線を介して速度検出器の作動を検出した場合に、第２信号線を介して膨張式緩衝具を動作させる制御装置とを設けたものである。
【００２０】
これによって、エレベーターに異常が発生してかごが所定の速度を超過した速度によって異常下降した場合に、かごが緩衝器に衝突する前に速度検出器が作動し、制御装置の機能によって膨張式緩衝具が動作する。このため、かごと緩衝器との衝突時の初期衝撃が膨張式緩衝具によって緩衝される。このため、異常下降するかごが緩衝器に衝突するときに、緩衝器の緩衝工程に対応した平均的な緩衝作用を上回る衝撃がかご内の乗客に作用する不具合の発生を未然に防ぐ効果がある。
【図面の簡単な説明】
【図１】  この発明の実施の形態１を示す図で、昇降路下部を概念的に示す縦断面図。
【図２】  この発明の実施の形態２を示す図で、昇降路下部を概念的に示す縦断面図。
【図３】  この発明の実施の形態３を示す図で、昇降路下部を概念的に示す縦断面図。
【図４】  図３のＡ−Ａ線断面図。
【図５】  従来のエレベーターの緩衝装置を示す縦断面図。
【符号の説明】
１  昇降路、  ４  かご、  ５  緩衝器、  ６  膨張式緩衝具、  ８  速度検出器、  ９  制御装置、  １１  可動緩衝器立設板。
【図１】
0004698845.tif 000002
【図２】
0004698845.tif 000003
【図３】
0004698845.tif 000004
【図４】
0004698845.tif 000005
【図５】
0004698845.tif 000006